【手続補正書】
【提出日】平成30年8月3日(2018.8.3)
【手続補正１】
【補正対象書類名】特許請求の範囲
【補正対象項目名】全文
【補正方法】変更
【補正の内容】
【特許請求の範囲】
【請求項１】
シートを排出する排出手段と、
前記排出手段により排出されたシートが積載される昇降可能なシート積載手段と、
前記シート積載手段を昇降させる昇降手段と、
前記シート積載手段に積載された最上位シートの高さ位置が第１高さ位置となるように前記昇降手段を制御する制御手段と、
前記最上位シートの高さ位置が前記第１高さ位置よりも低い第２高さ位置以下であることを検知するためのシート検知手段と、を備え、
前記制御手段は、前記最上位シートが前記第１高さ位置にある場合、前記排出手段のシート排出速度を第１シート排出速度とし、前記シート検知手段によって前記最上位シートの高さ位置が前記第２高さ位置以下であることを検知したことに基づいて、前記シート排出速度を前記第１シート排出速度よりも速い第２シート排出速度とすることを特徴とするシート排出装置。
【請求項２】
前記制御手段は、前記シート検知手段から前記最上位シートの高さ位置が前記第２高さ位置以下であることを示す信号が入力されると、前記第２シート排出速度でシートを排出すると共に、前記最上位シートの高さ位置が前記第１高さ位置となるまで前記シート積載手段を上昇させるよう前記昇降手段を制御することを特徴とする請求項１記載のシート排出装置。
【請求項３】
前記制御手段は、前記排出手段がシートの排出を開始する際のシート排出速度を、前記第２シート排出速度よりも速くし、前記排出手段からシートの後端が排出される際、前記シート排出速度が、前記第１シート排出速度及び前記第２シート排出速度の一方となるようなタイミングで減速させることを特徴とする請求項１又は２記載のシート排出装置。
【請求項４】
前記第１シート排出速度及び前記第２シート排出速度は、シートサイズ、シートの種類の少なくとも１つに応じて設定されることを特徴とする請求項１乃至３の何れか１項に記載のシート排出装置。
【請求項５】
前記最上位シートの高さ位置が前記第２高さ位置よりも低い第３高さ位置以下であることを検知する他のシート検知手段を備え、
前記制御手段は、前記他のシート検知手段から前記最上位シートの高さ位置が前記第３高さ位置以下であることを示す信号が入力されると、前記シート排出速度を前記第２シート排出速度よりも速い第３シート排出速度とするよう制御することを特徴とする請求項１乃至４の何れか１項に記載のシート排出装置。
【請求項６】
前記排出手段よりもシート排出方向上流に設けられ、シート束を形成するシート束形成手段を備え、
前記排出手段は、前記シート束形成手段により形成されたシート束を前記シート積載手段に排出可能であることを特徴とする請求項１乃至５の何れか１項に記載のシート排出装置。
【請求項７】
前記第２シート排出速度は、前記排出手段がシート束を排出する場合の第２シート排出速度と、この前記排出手段がシート束を排出する場合の第２シート排出速度よりも遅い、前記排出手段が一枚ずつシートを排出する場合の第２シート排出速度と、を備え、
前記制御手段は、前記排出手段が排出するシートが一枚ずつ排出されるのか、シート束として排出されるのかに基づいて、前記第２シート排出速度を、前記シート束を排出する場合の第２シート排出速度と、前記一枚ずつシートを排出する場合の第２シート排出速度との間で切り替える、ことを特徴とする請求項６記載のシート排出装置。
【請求項８】
前記第１シート排出速度及び前記第２シート排出速度は、シート束を形成するシートの枚数、サイズ、種類の少なくとも１つに応じて設定されることを特徴とする請求項７記載のシート排出装置。
【請求項９】
前記シート積載手段に積載された最上位シートの高さ位置が第１高さ位置にあることを検知するための他のシート検知手段を備え、前記制御手段は、前記他のシート検知手段の検知結果に基づいて、前記昇降手段を制御する、ことを特徴とする請求項１記載のシート排出装置。
【請求項１０】
シートを排出する排出手段と、
前記排出手段により排出されたシートが積載される昇降可能なシート積載手段と、
前記シート積載手段を昇降させる昇降手段と、
前記シート積載手段に積載された最上位シートの高さ位置が所定の高さ位置となるように前記昇降手段を制御する制御手段と、を備え、
前記制御手段は、前記最上位シートの高さ位置が前記所定の高さ位置である場合、前記排出手段のシート排出速度を第１シート排出速度とし、前記最上位シートの高さ位置が前記所定の高さ位置となるように前記シート積載手段を上昇させている際に、シートを排出する場合、前記シート排出速度を前記第１シート排出速度よりも速い第２シート排出速度とする、ことを特徴とするシート排出装置。
【請求項１１】
シートに画像を形成する画像形成部と、
前記画像形成部により画像が形成されたシートを排出する排出手段と、
前記排出手段により排出されたシートが積載される昇降可能なシート積載手段と、
前記シート積載手段を昇降させる昇降手段と、
前記シート積載手段に積載された最上位シートの高さ位置が第１高さ位置となるように前記昇降手段を制御する制御手段と、
前記最上位シートの高さ位置が前記第１高さ位置よりも低い第２高さ位置以下であることを検知するためのシート検知手段と、を備え、
前記制御手段は、前記シート検知手段によって前記最上位シートの高さ位置が前記第２高さ位置を超えていることが検知されている場合は、前記排出手段のシート排出速度を第１シート排出速度とし、前記シート検知手段によって前記最上位シートの高さ位置が前記第２高さ位置以下となったことを検知している場合は、前記シート排出速度を前記第１シート排出速度よりも速い第２シート排出速度とするよう制御することを特徴とする画像形成装置。
【手続補正２】
【補正対象書類名】明細書
【補正対象項目名】００１０
【補正方法】変更
【補正の内容】
【００１０】
本発明は、シート排出装置において、シートを排出する排出手段と、前記排出手段により排出されたシートが積載される昇降可能なシート積載手段と、前記シート積載手段を昇降させる昇降手段と、前記シート積載手段に積載された最上位シートの高さ位置が第１高さ位置となるように前記昇降手段を制御する制御手段と、前記最上位シートの高さ位置が前記第１高さ位置よりも低い第２高さ位置以下であることを検知するためのシート検知手段と、を備え、前記制御手段は、前記最上位シートが前記第１高さ位置にある場合、前記排出手段のシート排出速度を第１シート排出速度とし、前記シート検知手段によって前記最上位シートの高さ位置が前記第２高さ位置以下であることを検知したことに基づいて、前記シート排出速度を前記第１シート排出速度よりも速い第２シート排出速度とすることを特徴とする。
また、本発明は、シート排出装置において、シートを排出する排出手段と、前記排出手段により排出されたシートが積載される昇降可能なシート積載手段と、前記シート積載手段を昇降させる昇降手段と、前記シート積載手段に積載された最上位シートの高さ位置が所定の高さ位置となるように前記昇降手段を制御する制御手段と、を備え、前記制御手段は、前記最上位シートの高さ位置が前記所定の高さ位置である場合、前記排出手段のシート排出速度を第１シート排出速度とし、前記最上位シートの高さ位置が前記所定の高さ位置となるように前記シート積載手段を上昇させている際に、シートを排出する場合、前記シート排出速度を前記第１シート排出速度よりも速い第２シート排出速度とする、ことを特徴とする。
更に、本発明は、画像形成装置において、シートに画像を形成する画像形成部と、前記画像形成部により画像が形成されたシートを排出する排出手段と、前記排出手段により排出されたシートが積載される昇降可能なシート積載手段と、前記シート積載手段を昇降させる昇降手段と、前記シート積載手段に積載された最上位シートの高さ位置が第１高さ位置となるように前記昇降手段を制御する制御手段と、前記最上位シートの高さ位置が前記第１高さ位置よりも低い第２高さ位置以下であることを検知するためのシート検知手段と、を備え、前記制御手段は、前記シート検知手段によって前記最上位シートの高さ位置が前記第２高さ位置を超えていることが検知されている場合は、前記排出手段のシート排出速度を第１シート排出速度とし、前記シート検知手段によって前記最上位シートの高さ位置が前記第２高さ位置以下となったことを検知している場合は、前記シート排出速度を前記第１シート排出速度よりも速い第２シート排出速度とするよう制御することを特徴とする。